(57)【要約】　　　（修正有）【課題】非正常的にロック状態が解除される場合はもちろん、ドアを取り外した後に侵入する侵入者がいる場合、その事実を外部に知らせる機能を有する出入装置を提供する。【解決手段】本体と、ドアを開閉するのに使われる第１ハンドルが備えられており、外側から正常的なキーが差込まれる時、第１ハンドルと連動される錠前が備えられており、第１ハンドルの回転によって駆動されるロック部材が備えられたロック装置と、ロック部材がロック装置の外部に突出しつつオン状態となり、突出したロック部材が元の状態となりつつオフ状態となる第１感知装置と、スピーカと、電源部と、を備えるが、本体の外面に第１ハンドル及び第１感知装置の一部が露出されるホールが形成されており、電源部に当てられる部分にカバーが備えられており、スピーカは音を本体の外部に放出できるように装着されている。出入装置自体に侵入者から放出される熱や赤外線または動きを感知できる感知装置を備える。【選択図】図１
0003100285.tif 000002
【実用新案登録請求の範囲】
【請求項１】
　本体と、
　前記本体の一部領域に差込み装着されてドアを開閉するのに使われ、このためにドアの内側に第１ハンドルが備えられており、外側に正常的なキーが差込まれる時、前記第１ハンドルと連動される錠前が備えられており、前記第１ハンドルの回転によって駆動されるロック部材が備えられたロック装置と、
　前記ロック部材が前記ロック装置の外部に突出しつつオン状態となり、前記突出したロック部材が元の状態となりつつオフ状態となる第１感知装置と、
　前記第１感知装置によって侵入者が感知される時、アラームを出すように備えられたスピーカと、
　前記第１感知装置及び前記スピーカに電源を供給する電源部を備えるが、
　前記本体の外面に前記第１ハンドル及び前記第１感知装置の一部が露出されるホールが形成されており、前記電源部に当たる部分にカバーが備えられており、前記スピーカは音を前記本体の外部に放出できるように前記本体に装着されたことを特徴とする出入装置。
【請求項２】
　前記ロック装置は、前記ロック部材が前記第１ハンドルの回転によって前記本体の三方向のうち選択された何れか一方向に貫通して突出するように備えられたことを特徴とする請求項１に記載の出入装置。
【請求項３】
　第１感知装置に侵入者から放出される熱、赤外線または前記侵入者の動きを感知できる感知部が備えられており、前記感知部は前記本体の外面に形成されたホールを通じて露出されることを特徴とする請求項１に記載の出入装置。
【請求項４】
　前記本体の前記ロック部材が突出する方向に前記ロック部材が通過できるように貫通ホールが形成されたリモコンがさらに装着されているが、
　前記リモコンは、前記第１感知装置と反対方式に、前記ロック部材が前記貫通ホールを通過してその内部に存在する場合にオン状態となり、存在しない場合にオフ状態となるように装着されたことを特徴とする請求項１に記載の出入装置。
【請求項５】
　前記リモコンによって動作される第２感知装置及び警光装置のうち少なくとも何れか一つが前記リモコンから離隔された所にさらに備えられたことを特徴とする請求項４に記載の出入装置。
【請求項６】
　前記錠前の前記キーが差込まれる内側に前記キーではない異物が差込まれて接触される時、外部にアラームを鳴らせるタクトスイッチが内蔵されており、前記タクトスイッチと連結された電源線の一つは、前記ロック装置を経由して前記スピーカに連結されたことを特徴とする請求項１または４に記載の出入装置。
【請求項７】
　前記第１感知装置の表面に第１感知装置自体のオン、オフのためのスイッチがさらに備えられたことを特徴とする請求項３に記載の出入装置。
【請求項８】
　前記本体に前記ドア全体を開閉する時に使用する主ハンドルがさらに備えられたことを特徴とする請求項１、４または７に記載の出入装置。
【請求項９】
　前記第２感知装置は、玄関の天井、ドアと対面する壁面及び窓と対面する所のうち少なくとも選択された何れか１ケ所に備えられたことを特徴とする請求項５に記載の出入装置。
【請求項１０】
　前記第２感知装置に侵入者が感知された場合、警光を発する警光部が備えられたことを特徴とする請求項９に記載の出入装置。
【請求項１１】
　本体と、
　前記本体の一部領域に差込み装着されてドアを開閉するのに使われ、このためにドア内側に第１ハンドルが備えられており、外側に正常的なキーが差込まれる時、前記第１ハンドルと連動される錠前が備えられており、前記第１ハンドルの回転によって駆動されるロック部材が備えられたロック装置と、
　前記ロック部材が前記ロック装置の外部に突出しつつオン状態となり、前記突出したロック部材が元の状態となりつつオフ状態となるリモコンと、
　前記錠前にキーではない異物が差込まれる場合にアラームが発生するように備えられたスピーカと、
　前記リモコン及び前記スピーカに電源を供給する電源部と、
　前記リモコンから離隔された所に備えられて前記リモコンによって動作される感知装置と、を備えるが、
　前記本体の外面に前記第１ハンドル及び前記第１感知装置の一部が露出されるホールが形成されており、前記電源部に当たる部分にカバーが備えられており、前記スピーカは音を前記本体の外部に放出できるように前記本体に装着されたことを特徴とする出入装置。
【請求項１２】
　前記リモコンから離隔された所に前記リモコンによって動作される警光装置がさらに備えられたことを特徴とする請求項１１に記載の出入装置。
【請求項１３】
　前記本体に前記ドア全体を開閉する時に使用する主ハンドルがさらに備えられたことを特徴とする請求項１１または１２に記載の出入装置。
【考案の詳細な説明】
【技術分野】
【０００１】
　本考案は出入装置に係り、詳細にはドアの開閉如可に関係なく非正常的な出入が発生する場合にアラームを発生させる出入装置に関する。
【背景技術】
【０００２】
　遠い以前から錠前とこれに合うキーとで構成されたロック装置が使われ、次いでダイヤルを連続的にまわして所定の数字を整列させれば、ロック状態が解除されるパスワード方式のロック装置が広く使われている。
【０００３】
　このようなロック装置に対する非正常的な解除手段が知られるにつれて非正常的な解除をさらに難しくする多様なロック装置が提示されている。例えば、コンピュータキーや指紋認識装置、カードキーが代表的である。このようなロック装置は個人金庫をはじめとして、商店街、銀行のような多様な所に使われるが、住宅の急な普及と共に玄関ドアのロック装置として広く使われている。
【０００４】
　このようなロック装置は、装置自体だけを考慮する時はパスワードや正確なカードキーがなければ解除できないなど、その機能に優れたことが事実である。しかし、最近、頻繁に発生しているように、侵入者が前記ロック装置が装着されたドア自体を取り外す場合には何の効果もなくなる。
【考案の開示】
【考案が解決しようとする課題】
【０００５】
　本考案が解決しようとする技術的課題は、前述した従来技術の問題点を改善するためのものとして、非正常的にロック状態が解除される場合はもちろん、ドアを取り外した後に侵入する侵入者がいる場合、その事実を外部に知らせる機能を有する出入装置を提供することである。
【課題を解決するための手段】
【０００６】
　前記課題を達成するために本考案は、本体と、前記本体の一部領域に差込み装着されてドアを開閉するのに使われ、このためにドアの内側に第１ハンドルが備えられており、外側に正常的なキーが差込まれる時、前記第１ハンドルと連動される錠前が備えられており、前記第１ハンドルの回転によって駆動されるロック部材が備えられたロック装置と、前記ロック部材が前記ロック装置の外部に突出しつつオン状態となり、前記突出したロック部材が元の状態となりつつオフ状態となる第１感知装置と、前記第１感知装置によって侵入者が感知される時、アラームを出すように備えられたスピーカと、前記第１感知装置及び前記スピーカに電源を供給する電源部を備えるが、本体の外面に前記第１ハンドル及び前記第１感知装置の一部が露出されるホールが形成されており、前記電源部に当てられる部分にカバーが備えられており、前記スピーカは音が前記本体の外部に放出できるように前記本体に装着されたことを特徴とする出入装置を提供する。
【０００７】
　ここで、前記ロック装置は前記ロック部材が前記第１ハンドルの回転によって前記本体の三方向のうち選択された何れか一方向に貫通して突出するように備えられたものである。
【０００８】
　前記第１感知装置に侵入者から放出される熱、赤外線または前記侵入者の動きを感知できる感知部が備えられている。
【０００９】
　前記本体の前記ロック部材が突出する方向に前記ロック部材が通過できるように貫通ホールが形成されたリモコンがさらに装着されているが、前記リモコンは前記第１感知装置と反対方式に、前記ロック部材が前記貫通ホールを通過してその内部に存在する場合にオン状態となり、存在しない場合にオフ状態となるように装着されている。
【００１０】
　前記リモコンによって動作される第２感知装置及び警光装置のうち少なくとも何れか一つが前記リモコンから離隔された所にさらに備えられている。
【００１１】
　前記第２感知装置は、玄関の天井、ドアと対面する壁面及び窓と対面する所のうち少なくとも選択された何れか１ケ所に備えられる。
【００１２】
　前記第２感知装置に侵入者が感知される場合、警光を発する警光部が備えられる。
【００１３】
　前記錠前の前記キーが差込まれる内側に前記キーではない異物が差込み接触される時、外部にアラームを鳴らせるタクトスイッチが内蔵されており、前記タクトスイッチと連結された電源線の一つは前記ロック装置を経由して前記スピーカに連結されている。
【００１４】
　前記第１感知装置の表面に第１感知装置自体のオン、オフのためのスイッチがさらに備えられる。
【００１５】
　本考案は、また前記課題を達成するために、前記本体及びロック装置をはじめとして前記ロック部材が前記ロック装置の外部に突出しつつオン状態となり、前記突出したロック部材が元の状態となりつつオフ状態となるリモコンと、前記錠前にキーではない異物が差込まれる場合にアラームが発生するように備えられたスピーカと、前記リモコン及び前記スピーカに電源を供給する電源部と、前記リモコンから離隔された所に備えられて前記リモコンによって動作される感知装置と、を備えるが、前記本体の外側に前記第１ハンドル及び前記第１感知装置の一部が露出されるホールが形成されており、前記電源部に当てられる部分にカバーが備えられており、前記スピーカは音が前記本体の外部に放出できるように前記本体に装着されたことを特徴とする出入装置を提供する。この時、前記リモコンから離隔された所に前記リモコンによって動作される警光装置がさらに備えられる。
【００１６】
　前記本体に前記ドア全体を開閉する時に使用する主ハンドルがさらに備えられている。
【考案の効果】
【００１７】
　本考案による出入装置は自体に侵入者から放出される熱や赤外線または動きを感知できる感知装置を備える。そして、玄関の天井、ドアと対面する所または窓と対面する所に同等な感知装置を備えられる。そのため、異物を利用してロック装置を解除する場合だけでなく、ドア自体を取り外す場合にも、この事実を外部に即時アラームすることによって、侵入者の侵入を防止するかまたは難しくできる。
【考案を実施するための最良の形態】
【００１８】
　以下、添付された図面を参照して本考案の第１及び第２実施例によるアラーム発生機能を有する出入装置をさらに詳細に説明する。
【００１９】
［実施例１］
　図１及び図２を参照すれば、本考案の実施例１による出入装置１０（以下、第１出入装置という）は、本体１２に多様な部材を備える。具体的に、図面上、本体１２の内部の左側にロック装置１４が備えられている。そして、内部の右側に電源２０ａ，２０ｂが装着される電源部２０が備えられている。ロック装置１４と電源部２０との間に左側から第１感知装置１６及びアラーム手段、例えば、スピーカ１８が順次に装着されている。
【００２０】
　本体１２は、次の２種の方式で構成できる。
【００２１】
　第一、図１に示したように本体１２の外側、すなわち第１出入装置１０を図３ないし図５に示したようにドア３０に装着した時、第１ハンドル１４ａが露出される面がカバー（図示せず）で覆われる方式に備えられる。この時、前記カバーには第１ハンドル１４ａと共に外部物体、例えば侵入者から発生して第１感知装置１６に照射される赤外線が流入されて感知される第１感知部１６ａのように外面に露出されなければならない部分のためのホールが形成されることが望ましい。この時、電源部２０は、第１出入装置１０がドアに装着された後に電源を容易に交替するために自体カバー（図示せず）を備えることが望ましい。
【００２２】
　第二、本体１２は、図１に示したものと違ってドアと接触される側面を除外した残りが一体化するように作られたものであって、前記ドアと接触される側面は除去され、こちらを通じて前記構成要素を本体１２に装着させうる。この時、このような本体の外面に第１ハンドル１４ａをはじめとして、外面に露出されなければならない部分のためのホールが形成されることが望ましい。この場合にも電源部２０に第１出入装置１０がドアに装着された後に電源を容易に交替するために自体カバーが備えられることが望ましい。
【００２３】
　これに加えて、前記カバーまたは一体化した本体の外面に第１感知装置１６の動作如可または電源の消耗如可を示すために第１感知装置１６の表面に作られた発光部も前記カバーを通じて外部に露出させうる。
【００２４】
　ロック装置１４は、前記第１ハンドル１４ａと共に第１ハンドル１４ａの回転によって、ロック装置１４の内部から外部に本体１２を貫通してドアフレームの所定溝に突出するか、または前記ドアフレームからロック装置１４の内部に入るロック部材１４ｂを備える。ロック部材１４ｂは、二つが備えられているように図示されているが、場合によって一つだけ備えられることも、二つ以上備えられることもできる。この時、ロック部材１４ｂは示したように第１出入装置１０の長手方向に本体を貫通して突出するように備えられることが望ましいが、図面上、点線で表したように上部及び下部に本体を貫通して突出するように備えられることもできる。ロック部材１４ｂの突出方向は、第１出入装置１０がドアに装着される位置を考慮して決定すれば良い。例えば、図３または図５に示したように第１出入装置１０がドア３０に横方向に設置された場合、ロック部材１４ｂは図１に示したように第１出入装置１０の長手方向に突出するように備えられる。そして、望ましい場合である図４に示したようにドア３０に縦に装着される場合、ロック装置１４はロック部材１４ｂが図１に点線で示したように図面上上部または下部に、すなわち長手方向に垂直な方向に突出するように備えられることが望ましい。
【００２５】
　一方、図４に示したような場合、第１出入装置１０にドア３０を開閉する時に使用する主ハンドルとして第２ハンドル７０がさらに備えられる。例えば、図１を参照して説明すれば、本体１２のロック装置１４が作られた部分が長手方向にさらに延び、前記延びた部分に第２ハンドル７０が装着されうる。この時、第２ハンドル７０は図４に示したようにドア３０に対して横方向に装着されて下方に回転できるように装着されることが望ましい。第２ハンドル７０は、多様な形態に変形できる。第２ハンドル７０は、下記第２実施例の場合にもそのまま適用できる。図４で、１００は電源部の電源を交替する時に使われるカバーを示す。
【００２６】
　第１感知装置１６は、感知動作制御のための回路基板（図示せず）及び第１感知部１６ａで構成されたものであって、ロック装置１４に連動されて動作される。第１感知装置１６ａは、回路基板を通じてスピーカ１８と連結されている。第１ハンドル１４ａを回して第１出入装置１０がロック状態になった場合、第１感知装置１６はオン状態となる。一方、第１ハンドル１４ａを反対に回して第１出入装置１０のロック状態が解除される場合、第１感知装置１６はオフ状態となる。
【００２７】
　一方、第１感知装置１６のオン、オフは、各々２段階よりなるが、例えば、第１感知装置１６の何れか一部分、例えば、第１感知部１６ａの下側または上側に別途のオン、オフスイッチ（図示せず）を備えて前記スイッチをつけた後にロック装置１４の第１ハンドル１４ａを回転させて第１出入装置１０をロックしてこそ第１感知装置１６がオン状態となり、一方第１ハンドル１４ａを反対に回して第１出入装置１０のロック状態を解除した後、前記スイッチを消してこそ第１感知装置１６がオフ状態となる。
【００２８】
　次いで、第１出入装置１０の動作を説明する。
【００２９】
　具体的に、第１出入装置１０が図３ないし図５に示したようにドア３０または３２に装着された状態で、侵入者が非正常的な方法でロック状態を解除しようとする場合やドア３０または３２を取り外して侵入する場合、前者はもちろん、後者の場合にもドア３０または３２が取り外されても、それに装着された第１出入装置１０は相変らずオン状態となるので、第１感知装置１６もオン状態となる。これにより、前記侵入者から放出される赤外線が第１感知装置１６の第１感知部１６ａに受信され、第１感知装置１６はこれを感知してスピーカ１８を通じて外部にアラームを出す。
【００３０】
[実施例２]
　図６に示したように、本考案の実施例２による出入装置４０（以下、第２出入装置という）は、第１出入装置１０及びこれに付着されたリモコン３４で構成される。リモコン３４は、ロック装置１４の動作如可によって、すなわちロック部材１４ｂの突出如可によって動作される。例えば、ロック部材１４ｂが突出して第１及び第２貫通ホールｈ１，ｈ２を貫通して、その内部に存在する場合、リモコン３４はオン状態となる。一方、ロック部材１４ｂが再びロック装置１４の内部に入って第１及び第２貫通ホールｈ１，ｈ２にロック部材１４ｂが存在しない場合、リモコン３４はオフ状態となる。このようなリモコン３４は第２出入装置４０から離隔された所に設置された装置部材の動作を制御するためのものである。
【００３１】
　例えば、図７に示したように、第２出入装置４０がドア３５に装着された状態でリモコン３４はドア３６から離隔された位置に備えられた、第１感知装置と同等な役割をする第２感知装置５０及び／または侵入者の事実を外部に光で知らせるための警光装置６０の動作を制御するのに使われる。この時、第２感知装置５０は、侵入者から放出される赤外線が受信される第２感知部５０ａを備え、侵入者の感知を外部に知らせるためのアラーム発生部５０ｂを備える。第２感知装置５０は、ドア、玄関の天井やドアと対面する壁または窓と対面する所に装着されうる。警光装置６０は、窓を通じて外部からよく見られる内室に備えるか、または窓の外側に備えられる。このように第２感知装置５０及び／または警光装置６０を備えることによって、一つのアラームシステムが構築される。第２感知装置に警光装置６０と同等な機能を有する警光部が備えられる。
【００３２】
　このように玄関の天井、ドアと対面する所または窓と対面する所に第２感知装置５０、あるいはこれと同等な感知装置を備えることによって、侵入者が玄関ドアを非正常的な方法で開くか、あるいは玄関ドアを完全に取り外して侵入する過程で前記侵入者が感知されない場合、または窓を通じて侵入する場合にも前記侵入者の侵入事実を外部に知らせられる。
【００３３】
　一方、図６に示したようにリモコン３４は、第１出入装置１０のロック部材１４ｂが突出する方向に装着されることが望ましい。しかし、図１の第１感知装置１６が装着された位置に備えられることもある。
【００３４】
　前者の場合は、第１感知装置１６と共に第２感知装置５０及び／または警光装置６０が使われた場合である。後者の場合は、第２感知装置５０及び／または警光装置６０だけ使われた場合である。
【００３５】
　また、前者の場合、リモコン３４がオン、オフ状態となる過程は、第１感知装置１６がオン、オフ状態となる過程と反対である。
【００３６】
　具体的に、第１感知装置１６の場合、ロック部材１４ｂが突出してロック装置１４の内部にロック部材１４ｂが存在しない場合にオン状態となる。一方、リモコン３４の場合、ロック部材１４ｂがロック装置１４の内部に存在する場合にオン状態となる。オフ状態の場合は、相反する。
【００３７】
　図８は、第１または第２出入装置１０，４０が装着されたドア３０の外側を示す。
【００３８】
　図８を参照すれば、出入者がドア３０を開閉するのに使用する第２ハンドル７０が作られており、その上側にキーが差込まれる差込み口７２ａが形成された錠前７２が設けられている。錠前７２は、正常的なキーが差込み口７２ａに差込まれる場合、第１または第２出入装置１０，４０の第１ハンドル１４ａと連動される。
【００３９】
　図９は、錠前７２の内部構造を示す。
【００４０】
　図９を参照すれば、差込み口７２ａは錠前７２に沿って内側に所定の深さに形成されている。差込み口７２ａの最内側にタクトスイッチ７４が備えられている。非正常的なキー、すなわち箸や鉄棒のような異物が差込まれてタクトスイッチ７４に接触される場合、アラームが発生する。
【００４１】
　タクトスイッチ７４は、第１感知装置１６の回路基板を通じてスピーカ１８に連結される。７４ａは、タクトスイッチ７４に備えられた前記異物と接触されるボタンを示す。タクトスイッチ７４には第１及び第２電源供給線７６ａ，７６ｂが連結されている。第１及び第２電源供給線７６ａ，７６ｂを通じてタクトスイッチ７４に電源が供給される。タクトスイッチ７４は、ボタン７４ａが押される場合にタクトスイッチ７４を経由する電流が流れるように備えられることもあり、その反対にボタン７４ａが押される場合に流れた電流が遮断されるように備えられることもある。
【００４２】
　一方、第１及び第２電源供給線７６ａ，７６ｂのうち何れか一つは、第１及び／または第２出入装置１０，４０のロック装置１４に備えられた微小スイッチ（図示せず）を通じて連結される。これにより、外部から侵入者が異物を使用して出入装置を解除しようとする場合にはタクトスイッチ７４が障害になり、ドア自体を取り外して侵入する場合には第１及び／または第２感知装置１６，５０が障害になるため、外部に露出されずに侵入することは非常に難しくなる。
【００４３】
　前記説明で多くの事項が具体的に記載されているが、それは考案の範囲を限定するものではなく、望ましい実施例の例示として解釈しなければならない。例えば、当業者ならば、これにカメラ機能を付加して侵入者を撮るか、またはその行動を撮影できる。また、指紋認識装置にも本考案を適用できる。そのため、本考案の範囲は説明された実施例によって限定されず、実用新案登録請求の範囲に記載された技術的思想によって決まらなければならない。
【産業上の利用可能性】
【００４４】
　公共及び単独住宅をはじめとして、事務室のドアの主なロック装置として使用でき、公共及び単独住宅と事務室全体との侵入防止システムに適用できる。
【図面の簡単な説明】
【００４５】
【図１】本考案の第１実施例によるアラーム発生機能を有する出入装置の平面図である。
【図２】図１に示した出入装置の斜視図である。
【図３】図１に示した出入装置がドアに横に装着された場合を示す斜視図である。
【図４】図１に示した出入装置がドアに縦に装着された場合を示す斜視図である。
【図５】図１に示した出入装置がドアの下段に装着された場合を示す斜視図である。
【図６】本考案の第２実施例によるアラーム発生機能を有する出入装置の平面図である。
【図７】図６に示した出入装置がドアに装着された場合を例示すると同時に離隔されたアラーム発生部材及びアラームシステムを構成した例を示す構成図である。
【図８】本考案の第１または第２実施例によるアラーム発生機能を有する出入装置が装着されたドアの裏面を示す斜視図である。
【図９】本考案の第１及び第２実施例によるアラーム発生機能を有する出入装置のキー差込み口の内面を示す断面図である。
【符号の説明】
【００４６】
　１０　　第１出入装置
　１２　　本体
　１４　　ロック装置
　１４ａ　　第１ハンドル
　１４ｂ　　ロック部材
　１６　　第１感知装置
　１６ａ　　第１感知部
　１８　　スピーカ
　２０　　電源部
　２０ａ，２０ｂ　　電源
【図１】
0003100285.tif 000003
【図２】
0003100285.tif 000004
【図３】
0003100285.tif 000005
【図４】
0003100285.tif 000006
【図５】
0003100285.tif 000007
【図６】
0003100285.tif 000008
【図７】
0003100285.tif 000009
【図８】
0003100285.tif 000010
【図９】
0003100285.tif 000011